(57)【特許請求の範囲】
【請求項１】
洗濯機の筐体の前面壁に形成され、前記筐体内部に洗濯物を出し入れするための出入口を開閉し、前記筐体に設けられたボタンが押圧操作されることによって左開きまたは右開きが可能なドアの開閉機構であって、
前記ドアが左開きされる場合には前記出入口の右側の前面壁に配置され、前記ドアが右開きされる場合には前記出入口の左側の前面壁に配置され、前記ボタンの押圧操作に基づいて動く可動体と、
前記前面壁において、前記出入口に対して前記可動体と同じ側で前記可動体の下方に配置され、前記ドアが閉じられたときにロックまたはロック解除を行うロック機構と、を備え、
前記ロック機構は、
ベースと、
閉じられた前記ドアに係合する係合位置と、前記ドアとの係合を解除する解除位置との間で、前記ベースに対して相対移動可能なロック体と、
前記ベースに対して上下に相対移動可能な第１移動体と、
前記ベースに設けられ、前記第１移動体の上下移動を案内するための案内部と、
前記ベースに設けられ、前記ロック機構が前記出入口の右側に配置される場合には前記第１移動体の下方に位置する左開き用装着部と、
前記ベースに設けられ、前記ロック機構が前記出入口の左側に配置される場合には前記第１移動体の下方に位置する右開き用装着部と、
前記ロック機構が前記出入口の右側に配置される場合には前記第１移動体と前記左開き用装着部とを連結し、前記ロック機構が前記出入口の左側に配置される場合には前記第１移動体と前記右開き用装着部とを連結し、前記第１移動体を下方へ付勢するばねと、
前記可動体と前記第１移動体とを連結し、前記ボタンの押圧操作に伴う前記可動体の動作に応じて、前記ばねの付勢力に抗して前記第１移動体を上方移動させる連結体と、
前記ベースに支持され、前記第１移動体の上方移動に応じて後方へ移動する第２移動体と、
前記第２移動体の後方移動に応じて、前記ロック体を前記解除位置へ移動させるアクチュエータと、
を有することを特徴とする、ドア開閉機構。
【請求項２】
前記可動体において、前記可動体と前記第１移動体とを連結する前記連結体が係合する位置は、前記ロック機構が前記出入口の右側に配置される場合と前記ロック機構が前記出入口の左側に配置される場合とで異なることを特徴とする、請求項１記載のドア開閉機構。
【請求項３】
前記ばねは、前記ロック機構が前記出入口の右側に配置される場合も、左側に配置される場合も、共通に使用されることを特徴とする、請求項１または２記載のドア開閉機構。
【請求項４】
前記連結体は、前記ロック機構が前記出入口の右側に配置される場合も、左側に配置される場合も、共通に使用されることを特徴とする、請求項１〜３のいずれかに記載のドア開閉機構。
【請求項５】
前記第１移動体は、前記ロック機構が前記出入口の右側に配置される場合も、左側に配置される場合も、共通に使用されることを特徴とする、請求項１〜４のいずれかに記載のドア開閉機構。
【請求項６】
前記ベースおよび案内部は、前記ロック機構が前記出入口の右側に配置される場合も、左側に配置される場合も、共通に使用されることを特徴とする、請求項１〜５のいずれかに記載のドア開閉機構。
【請求項７】
前記可動体は、前記出入口の右側に配置される場合も、左側に配置される場合も、共通に使用されることを特徴とする、請求項１〜６のいずれかに記載のドア開閉機構。
【請求項８】
筐体と、
前記筐体の前面壁に形成され、前記筐体内部に洗濯物を出し入れするための出入口と、
前記出入口を開閉し、左開きまたは右開きが可能なドアと、
前記筐体に設けられ、前記ドアを開くために押圧操作されるボタンと、
請求項１〜７のいずれかに記載のドア開閉機構と、
を有することを特徴とする、洗濯機。
【発明の詳細な説明】
【技術分野】
【０００１】
この発明は、ドア開閉機構およびそのドア開閉機構を備えた洗濯機に関する。
【背景技術】
【０００２】
筐体の前面に、洗濯物を出し入れするための投入口（出入口に相当する。）と、この投入口を開閉するためのドアとを設けた洗濯機が公知である（たとえば、特許文献１参照）。
特許文献１に記載の洗濯機において、筐体は、左側面板および右側面板と、これらの側面板の前縁部の間に差し渡され、投入口が形成されており、ドアの取り付け枠を兼ねる前面枠板とを備えている。この前面枠板には、ドアを閉鎖状態に保持（ラッチ）し、そのラッチの解除を阻止することによってドアを施錠（ロック）するドアラッチ機構（ドア開閉機構に相当する。）が取り付けられている。
【０００３】
特許文献１に記載の洗濯機では、ドアを左開きできる状態にあるときの前面枠板を、ドアおよびドアラッチ機構とともに、左右が逆になるように反転させて左右の側面板に付け直すことによって、ドアを右開きすることができる。そして、前面枠板を左右が逆になるようにさらに反転させて左右の側面板に付け直すことによって、再びドアを左開きすることができる。つまり、前面枠板を反転させて左右の側面板に取り付けることによって、ドアの開き方について、左開きおよび右開きのいずれかを選択することができる。
【特許文献１】特開２００７−１９５８５９号公報
【発明の開示】
【発明が解決しようとする課題】
【０００４】
特許文献１に記載の洗濯機では、ドアの左開きおよび右開きのいずれかを選択する場合、前面枠板を反転させて左右の側面板に取り付けることによって、前面枠板が共通に使用できる。さらに、前面枠板以外の構成部品も共通化できることが望ましい。
ここで、たとえば、ドアラッチ機構は、一般的に、複数の構成部品を含むが、これらの構成部品がドアの左開きおよび右開きのいずれにおいても共通に使用できることが望ましい。
【０００５】
この発明は、かかる背景のもとになされたもので、ドアの左開きおよび右開きのいずれかを選択する場合において、ドアを左開きする場合も右開きする場合も構成部品が共通に使用できるドア開閉機構と、このドア開閉機構を備えた洗濯機とを提供することを目的とする。
この発明は、また、左開きドアまたは右開きドアを備えた洗濯機を製造する際に、兼用部品を多くして、製造が容易な洗濯機を提供することを他の目的とする。
【課題を解決するための手段】
【０００６】
請求項１記載の発明は、洗濯機の筐体の前面壁に形成され、前記筐体内部に洗濯物を出し入れするための出入口を開閉し、前記筐体に設けられたボタンが押圧操作されることによって左開きまたは右開きが可能なドアの開閉機構であって、前記ドアが左開きされる場合には前記出入口の右側の前面壁に配置され、前記ドアが右開きされる場合には前記出入口の左側の前面壁に配置され、前記ボタンの押圧操作に基づいて動く可動体と、前記前面壁において、前記出入口に対して前記可動体と同じ側で前記可動体の下方に配置され、前記ドアが閉じられたときにロックまたはロック解除を行うロック機構と、を備え、前記ロック機構は、ベースと、閉じられた前記ドアに係合する係合位置と、前記ドアとの係合を解除する解除位置との間で、前記ベースに対して相対移動可能なロック体と、前記ベースに対して上下に相対移動可能な第１移動体と、前記ベースに設けられ、前記第１移動体の上下移動を案内するための案内部と、前記ベースに設けられ、前記ロック機構が前記出入口の右側に配置される場合には前記第１移動体の下方に位置する左開き用装着部と、前記ベースに設けられ、前記ロック機構が前記出入口の左側に配置される場合には前記第１移動体の下方に位置する右開き用装着部と、前記ロック機構が前記出入口の右側に配置される場合には前記第１移動体と前記左開き用装着部とを連結し、前記ロック機構が前記出入口の左側に配置される場合には前記第１移動体と前記右開き用装着部とを連結し、前記第１移動体を下方へ付勢するばねと、前記可動体と前記第１移動体とを連結し、前記ボタンの押圧操作に伴う前記可動体の動作に応じて、前記ばねの付勢力に抗して前記第１移動体を上方移動させる連結体と、前記ベースに支持され、前記第１移動体の上方移動に応じて後方へ移動する第２移動体と、前記第２移動体の後方移動に応じて、前記ロック体を前記解除位置へ移動させるアクチュエータと、を有することを特徴とする、ドア開閉機構である。
【０００７】
請求項２記載の発明は、前記可動体において、前記可動体と前記第１移動体とを連結する前記連結体が係合する位置は、前記ロック機構が前記出入口の右側に配置される場合と前記ロック機構が前記出入口の左側に配置される場合とで異なることを特徴とする、請求項１記載のドア開閉機構である。
請求項３記載の発明は、前記ばねは、前記ロック機構が前記出入口の右側に配置される場合も、左側に配置される場合も、共通に使用されることを特徴とする、請求項１または２記載のドア開閉機構である。
【０００８】
請求項４記載の発明は、前記連結体は、前記ロック機構が前記出入口の右側に配置される場合も、左側に配置される場合も、共通に使用されることを特徴とする、請求項１〜３のいずれかに記載のドア開閉機構である。
請求項５記載の発明は、前記第１移動体は、前記ロック機構が前記出入口の右側に配置される場合も、左側に配置される場合も、共通に使用されることを特徴とする、請求項１〜４のいずれかに記載のドア開閉機構である。
【０００９】
請求項６記載の発明は、前記ベースおよび案内部は、前記ロック機構が前記出入口の右側に配置される場合も、左側に配置される場合も、共通に使用されることを特徴とする、請求項１〜５のいずれかに記載のドア開閉機構である。
請求項７記載の発明は、前記可動体は、前記出入口の右側に配置される場合も、左側に配置される場合も、共通に使用されることを特徴とする、請求項１〜６のいずれかに記載のドア開閉機構である。
【００１０】
請求項８記載の発明は、筐体と、前記筐体の前面壁に形成され、前記筐体内部に洗濯物を出し入れするための出入口と、前記出入口を開閉し、左開きまたは右開きが可能なドアと、前記筐体に設けられ、前記ドアを開くために押圧操作されるボタンと、請求項１〜７のいずれかに記載のドア開閉機構と、を有することを特徴とする、洗濯機である。
【発明の効果】
【００１１】
請求項１および８記載の発明によれば、このドア開閉機構では、ロック機構において、ロック体が係合位置にあると、閉じられたドアにロック体が係合するので、ロック機構は、閉じられたドアをロックすることができる。
この状態においてボタンを押圧操作すると、ドア開閉機構では、ボタンの押圧操作に伴って可動体が動く。この可動体の動作に応じて、ロック機構では、連結体が、ばねによって下方に付勢されている第１移動体を、ばねの付勢力に抗して上方移動させる。そして、第１移動体の上方移動に応じて第２移動体が後方へ移動し、この後方移動に応じてアクチュエータがロック体を解除位置へ移動させる。これにより、ロック体とドアとの係合が解除され、ロック機構は、閉じられたドアのロック解除を行うことができる。
【００１２】
このドア開閉機構は、左開きまたは右開きが可能なドアに用いられる。詳しくは、ドアが左開きされる場合にはドア開閉機構における可動体およびロック機構を出入口の右側の前面壁に配置すればよく、ドアが右開きされる場合には可動体およびロック機構を出入口の左側の前面壁に配置すればよい。
ここで、ロック機構において、ベースには、左開き用装着部および右開き用装着部がともに設けられている。ロック機構において第１移動体を下方へ付勢するばねは、ロック機構が出入口の右側に配置される場合（ドアが左開きされる場合）には第１移動体と左開き用装着部とを連結し、ロック機構が出入口の左側に配置される場合（ドアが右開きされる場合）には第１移動体と右開き用装着部とを連結する。
【００１３】
その結果、ドアの左開きおよび右開きのいずれかを選択する場合において、ドア開閉機構では、ドアを左開きする場合も右開きする場合も構成部品を共通に使用することができる。
請求項２記載の発明によれば、可動体において、可動体と第１移動体とを連結する連結体が係合する位置は、ロック機構が出入口の右側に配置される場合（ドアが左開きされる場合）とロック機構が出入口の左側に配置される場合（ドアが右開きされる場合）とで異なる。そのため、可動体において連結体が係合する位置によって、ドアが左開きされるのか右開きされるのかを把握することができる。
【００１４】
請求項３記載の発明によれば、ロック機構が出入口の右側に配置される場合（ドアが左開きされる場合）も、左側に配置される場合（ドアが右開きされる場合）も、ばねを共通に使用することができる。
請求項４記載の発明によれば、ロック機構が出入口の右側に配置される場合（ドアが左開きされる場合）も、左側に配置される場合（ドアが右開きされる場合）も、連結体を共通に使用することができる。
【００１５】
請求項５記載の発明によれば、ロック機構が出入口の右側に配置される場合（ドアが左開きされる場合）も、左側に配置される場合（ドアが右開きされる場合）も、第１移動体を共通に使用することができる。
請求項６記載の発明によれば、ロック機構が出入口の右側に配置される場合（ドアが左開きされる場合）も、左側に配置される場合（ドアが右開きされる場合）も、ベースおよび案内部を共通に使用することができる。
【００１６】
請求項７記載の発明によれば、可動体を、出入口の右側に配置する場合（ドアが左開きされる場合）も、左側に配置する場合（ドアが右開きされる場合）も、共通に使用することができる。
【発明を実施するための最良の形態】
【００１７】
以下では、この発明の一実施形態に係る洗濯機１を、添付図面を参照して詳細に説明する。なお、本発明は、洗濯機能に加えて乾燥機能も有する洗濯乾燥機や、乾燥機能のみを有する乾燥機にも適用される。
図１は、洗濯機１の正面図であって、ドア１１を左開きする場合を示す。図２は、図１に示す洗濯機１を正面右上から見た斜視図である。なお、方向について言及する場合には、各図で示した方向矢印を参照する（以下同様）。ここで、前側と正面側とは同じであり、後側と背面側と裏側と奥側とは同じであり、左右方向と幅方向とは同じである。
【００１８】
図１に示すように、洗濯機１は、縦長のボックス形状のケーシング２を筐体として有している。
図示されていないが、ケーシング２内には、外槽および内槽が収容されている。外槽には、水を溜めることができる。内槽は、外槽内に配置され、前側に開口を有しており、この開口を介して、外部から内槽内部に洗濯物を出し入れすることができる。洗濯機１では、外槽内に溜めた水を用いて、内槽内の洗濯物を洗濯することができる。
【００１９】
図２に示すように、ケーシング２において、左右側面および前後面は、鉛直方向にほぼ沿って延びているが、前面の略上半分（前面全体において上下方向における約３分の２の領域）は、上側へ向うのに従って後方へ緩やかに傾斜している。以下では、この部分を傾斜面２Ａという。傾斜面２Ａは、鉛直面に対して、たとえば約１５°後側に傾斜している。
【００２０】
ケーシング２は、骨格をなすフレーム３と、カバー４とを含んでいる。
フレーム３は、金属製であり、ケーシング２より背の低い略直方体状に形成されている。上述した外槽および内槽は、フレーム３内に収容され、フレーム３によって支持されている。フレーム３の前面において、上述した傾斜面２Ａ付近の部分には、金属板によって、ケーシング２の前面壁としての傾斜壁３Ａ（図示点線部分参照）が設けられている。傾斜壁３Ａは、フレーム３の左右側壁の前端縁間に架設され、傾斜面２Ａに沿うように上側へ向うのに従って後方へ傾斜して延びている。傾斜壁３Ａの略中央には、出入口としてのフレーム開口３Ｂが形成されている。フレーム開口３Ｂは、丸穴であり、傾斜壁３Ａを貫通して、フレーム３内に収容された内槽の開口に対向および連通している。
【００２１】
カバー４は、樹脂製であり、フレーム３を外側から覆うように、フレーム３に取り付けられている。詳しくは、カバー４は、フレーム３の前面および天面に応じて個別に設けられており、以下では、フレーム３の前面を前から覆うカバー４を、前カバー５という。前カバー５は、縦長の板状であり、その外縁部は、後側へ折れ曲っている。
前カバー５は、傾斜部６と鉛直部７とを備えている。
【００２２】
傾斜部６は、前カバー５の略上半分（前カバー５全体において上下方向における約３分の２の領域）をなし、上側へ向うのに従って後方へ傾斜し、上述したフレーム３の傾斜壁３Ａを覆っている。傾斜部６の前面が、上述した傾斜面２Ａである。傾斜部６の略中央には、カバー開口９が形成されている。カバー開口９は、フレーム開口３Ｂより大きい丸穴であり、傾斜部６を貫通して、上述したフレーム開口３Ｂおよび内槽の開口（図示せず）に対向および連通している。カバー開口９、フレーム開口３Ｂおよび内槽の開口を介して、内槽へ洗濯物を出し入れすることができる。ここで、フレーム３の傾斜壁３Ａにおけるカバー開口９から露出された部分において、フレーム開口３Ｂより左側の部分（図示点線部分参照）には、２つのヒンジ３Ｃが互いに近接して取り付けられている。
【００２３】
傾斜部６において、カバー開口９の左上側および右上側には、それぞれ長穴８が形成されている。長穴８は、幅方向に長手の楕円形状であり、傾斜部６を貫通している。ここで、説明の便宜上、カバー開口９の左上側の長穴８を左長穴８Ａとし、カバー開口９の右上側の長穴８を右長穴８Ｂという。左長穴８Ａと右長穴８Ｂとは、傾斜部６（前カバー５）の幅方向中心を基準としてほぼ左右対称となるように配置されている。図２において、左長穴８Ａは、塞ぎ板１９によって塞がれており、右長穴８Ｂでは、後述するボタン１０が露出されている。
【００２４】
カバー開口９およびフレーム開口３Ｂは、正面視においてカバー開口９とほぼ同じ大きさの円形状のドア１１によって開閉される。
図３は、カバー開口９およびフレーム開口３Ｂを閉じた状態にあるドア１１を後側から見た斜視図である。
図３に示すように、ドア１１は、たとえば耐熱ガラス製であり、カバー開口９およびフレーム開口３Ｂを閉じた状態において後側（ケーシング２の内部）へ向かって細くなる略円錐台形状である。なお、以下では、特に言及がない限り、カバー開口９およびフレーム開口３Ｂを閉じた状態にあるドア１１の姿勢を基準とする。ドア１１の裏面（後面）の外側周縁部における周上１箇所には、ヒンジ取り付け部１１Ａが２つ設けられている。各ヒンジ取り付け部１１Ａは、対応するヒンジ３Ｃ（図２の点線部分参照）を介して、フレーム３の傾斜壁３Ａに連結されている。これにより、図２に示すように、ドア１１は、ヒンジ３Ｃの軸を中心として、閉位置と開位置との間を回動自在である。閉位置にあるドア１１は、図２に示すように、内槽の開口（図示せず）、フレーム開口３Ｂおよびカバー開口９を前側から閉じる。一方で、開位置にあるドア１１は、閉位置のときよりも前側に位置し、内槽の開口、フレーム開口３Ｂおよびカバー開口９を前側へ開放する。ここで、ヒンジ３Ｃが、上述したようにフレーム３の傾斜壁３Ａにおけるフレーム開口３Ｂより左側に配置されるので（図示点線部分参照）、閉位置にあるドア１１は、正面側から左開きされることによって開位置へ回動する。
【００２５】
図３に示すように、ドア１１の裏面（後面）の外側周縁部において、ドア１１の円中心に対するヒンジ取り付け部１１Ａの反対側には、突起１１Ｂとボス１１Ｃとが設けられている。突起１１Ｂは、後側へ突出している。突起１１Ｂには、貫通穴１１Ｄが形成されている。ボス１１Ｃは、ドア１１の外側周縁部において進退自在に支持されており、図示しないばねによって、ドア１１から外側（後側）へ突出するように付勢されている。
【００２６】
図４は、図２において、前カバー５を取り外し、要部を拡大して示した図であって、ボタン１０が押されていない状態を示す。図５は、図４において、ボタン１０が押された状態を示す。
ドア１１を左開きする場合には、図４に示すように、フレーム３の傾斜壁３Ａの前面においてフレーム開口３Ｂより右側の部分（右側傾斜壁３Ｄ）に、ボタン１０とドア開閉機構１２とが設けられている。
【００２７】
ボタン１０は、幅方向にやや長手の直方体形状に形成されており、その正面形状は、長穴８（図１および図２参照）とほぼ同じ大きさの楕円形状である。ボタン１０の後側下端部の幅方向両端には、バー１０Ａがそれぞれ設けられている。バー１０Ａは、ボタン１０の後側下端部の幅方向両端において下方へ突出するように、ボタン１０に対して一体的に設けられている。各バー１０Ａの下端は、傾斜壁３Ａ（右側傾斜壁３Ｄ）から前側に延びた支持部１３の前端に、幅方向に延びる軸１４を介して連結されており、ボタン１０は、軸１４を中心として揺動自在である。詳しくは、ボタン１０は、その前面が前カバー５の前面（傾斜面２Ａ）とほぼ面一になる第１位置（図１、図２および図４参照）と、ボタン１０の前面が第１位置のときよりも後側に位置する第２位置（図５参照）との間を揺動する。ボタン１０は、図示しないばねによって第２位置から第１位置へ向うように付勢されている。
【００２８】
ドア開閉機構１２は、可動体としての可動レバー１５と、ロック機構１６とを含んでいる。なお、可動体には、可動レバー１５だけでなく、ボタン１０が含まれてもよい。つまり、可動レバー１５とボタン１０とが一体化されてもよい。
可動レバー１５は、幅方向にやや長手の板状であり、ボタン１０の下側後方において、幅方向に延びる軸（図示せず）を中心として、傾斜壁３Ａ（右側傾斜壁３Ｄ）によって揺動自在に支持されている。ここで、可動レバー１５の軸は、可動レバー１５の上端部と下端部との間にある。可動レバー１５の下端部は、幅方向におけるほぼ全域に亘って前側に折れ曲っており、折れ曲り部１５Ａとされる。折れ曲り部１５Ａの幅方向両端部には、貫通穴がそれぞれ形成されており、左側の貫通穴は左穴１５Ｂとされ、右側の貫通穴は右穴１５Ｃとされる（図５参照）。
【００２９】
可動レバー１５の上端部は、ボタン１０に対して後側から当接している。ここで、ボタン１０が第１位置にあるときには、可動レバー１５は、図４の示すように、傾斜壁３Ａにほぼ沿っている。ボタン１０を押して第１位置から第２位置へ移動させると、図５に示すように、可動レバー１５が、ボタン１０に前側から押されることによって揺動する。これに伴い、折れ曲り部１５Ａが、ボタン１０が第１位置にあったとき（図４参照）よりも前側上方へ移動する。つまり、可動レバー１５は、ボタン１０の押圧操作に基づいて動く。
【００３０】
図４に示すように、ロック機構１６は、フレーム開口３Ｂに対して可動レバー１５と同じ側（右側傾斜壁３Ｄ）にあり、ボタン１０および可動レバー１５に対して、所定の距離だけ下方、詳しくは、フレーム開口３Ｂの右端部の近傍に位置している。
図６は、ドア１１を左開きする場合におけるロック機構１６の要部断面図であって、図６（ａ）は、図４のＡ−Ａ矢視断面図であり、ボタン１０が第１位置にある状態を示し、図６（ｂ）は、図５のＢ−Ｂ矢視断面図であり、ボタン１０が第２位置にある状態を示す。
【００３１】
図４および図６に示すように、ロック機構１６は、ベース２０と、第１移動体２１と、案内部２２と、左開き用装着部２３と、右開き用装着部２４と、ばね２５と、連結体２６と、第２移動体２７と、アクチュエータ２８と、ロック体２９とを含んでいる。
図４に示すように、ベース２０は、ともに中空で縦長のボックス形状の第１部２０Ａおよび第２部２０Ｂを一体的に備えている。第２部２０Ｂは、第１部２０Ａよりも一回り小さく、第１部２０Ａの左側（フレーム開口３Ｂに近い側）に配置されている。第１部２０Ａの内部と第２部２０Ｂの内部とは互いに連通している。第１部２０Ａの前面において、下側に偏った位置には、丸穴２０Ｃが形成されており、第２部２０Ｂの前面において、上下方向において丸穴２０Ｃとほぼ同じ位置には、縦長の矩形穴２０Ｄが形成されている。
【００３２】
案内部２２は、中空で縦長のボックス形状であり、丸穴２０Ｃに前から被さるように、第１部２０Ａの前面に取り付けられている。案内部２２の上下側面および左右側面は開口されており、図４では、案内部２２の右側面の開口から、丸穴２０Ｃが露出されている。
左開き用装着部２３は、第１部２０Ａの前面の下端部（案内部２２より下方）において前側に突設されたリブである。左開き用装着部２３には、貫通穴が形成されており、左開き用穴２３Ａとされる。
【００３３】
右開き用装着部２４は、第１部２０Ａの前面において案内部２２より上方で前側に突設されたリブである。右開き用装着部２４には、貫通穴が形成されており、右開き用穴２４Ａとされる。
第１移動体２１は、上下方向に長いスティック状である。第１移動体２１の下端部は、後側へ屈曲しており、屈曲部２１Ａとされる。第１移動体２１の上端部には、２つの貫通穴が上下に並んで形成されており、上側の貫通穴が第１上穴２１Ｂとされ、下側の貫通穴が第２上穴２１Ｃとされる。また、屈曲部２１Ａにも貫通穴が形成されており、下穴２１Ｄとされる。第１移動体２１において、屈曲部２１Ａと第２上穴２１Ｃとの間の部分（詳しくは屈曲部２１Ａ側に偏った部分）には、下側に向かうに従って後側へ膨出する膨出部分２１Ｅが形成されている。第１移動体２１は、案内部２２内に遊嵌されており、第１移動体２１において、上端部は、案内部２２の上側面の開口から露出され、下端部（屈曲部２１Ａ）は、案内部２２の下側面の開口から露出される。この状態において、屈曲部２１Ａの下方に左開き用装着部２３が位置している。
【００３４】
ばね２５は、たとえばコイルばねであり、上下方向に長手である。ばね２５の上端部および下端部は、フック形状になっている。また、連結体２６は、たとえば針金を上下に沿って延ばすことによって形成されている。連結体２６の上端部および下端部は、フック形状になっている。連結体２６の一部は、螺旋状になっていてもよく、これにより、連結体２６の上下方向長さを自由に変更することができる。
【００３５】
ばね２５の上端部は、第１移動体２１の屈曲部２１Ａの下穴２１Ｄに掛けられ、ばね２５の下端部は、左開き用装着部２３の左開き用穴２３Ａに掛けられている。つまり、ばね２５は、第１移動体２１と左開き用装着部２３とを連結している。これにより、第１移動体２１は、ばね２５の付勢力（伸縮力）によって下方へ付勢されている。一方、連結体２６の上端部は、可動レバー１５の折れ曲り部１５Ａの右穴１５Ｃ（図５参照）に掛けられ、連結体２６の下端部は、第１移動体２１の第１上穴２１Ｂに掛けられている。つまり、連結体２６が、可動レバー１５と第１移動体２１とを連結している。これにより、第１移動体２１がばね２５の付勢力によって下方へ付勢されていても、第１移動体２１が案内部２２内に遊嵌された状態（案内部２２内から外れていない状態）が維持されている。
【００３６】
第２移動体２７は、図６に示すように前後方向に延びる筒状に形成されている。第２移動体２７の前端部は、傘状に形成されており、その前端面は、上側へ向うに従って前方へ傾斜している（図５参照）。第２移動体２７の後端部の右側には、後側へ向って左側へ傾斜する傾斜面２７Ａが形成されている。第２移動体２７は、ベース２０（第１部２０Ａ）の丸穴２０Ｃに遊嵌され、ベース２０によって支持されている。この状態において、第２移動体２７の前端部は、案内部２２内に位置し、第２移動体２７の後端部は、ベース２０（第１部２０Ａ）内に位置している。第２移動体２７の傘状の前端部と第１部２０Ａの前面との間には、ばね３０が介挿されており、第２移動体２７は、ばね３０の付勢力（伸長力）によって、前側へ、つまり案内部２２側へ付勢されている。
【００３７】
アクチュエータ２８は、幅方向に長手の板状に形成されている。アクチュエータ２８の前面には、前側へ突出する突起２８Ａが一体的に設けられている。突起２８Ａの左側には、後側へ向って左側へ傾斜する傾斜面２８Ｂが形成されている。アクチュエータ２８は、ベース２０内において、第２移動体２７の後側に配置されており、左右方向にスライド自在である。詳しくは、アクチュエータ２８は、ベース２０（第１部２０Ａ）内においてアクチュエータ２８の右側に設けられたばね３１によって、左側へ付勢されており、突起２８Ａの傾斜面２８Ｂが、第２移動体２７の傾斜面２７Ａに右後側から対向している。
【００３８】
ロック体２９は、略上下方向（図６における紙厚方向）に沿って延びる軸３２が挿通された本体部分２９Ａと、本体部分２９Ａから左側へＵ字状に延びるＵ字部分２９Ｂとを一体的に備えている。本体部分２９Ａには、軸３２に対するＵ字部分２９Ｂの反対側において右側（第１部２０Ａ側）に延びる突出部２９Ｃが設けられている。ロック体２９は、ベース２０（第２部２０Ｂ）内において、矩形穴２０Ｄの後側に配置され、軸３２を中心に揺動自在である。つまり、ロック体２９は、ベース２０に対して相対移動可能である。ロック体２９は、Ｕ字部分２９Ｂが矩形穴２０Ｄ側へ向うように、かつ、突出部２９Ｃが後側へ向うように、後述する解除位置へ、図示しないばねによって付勢されている。
【００３９】
ボタン１０が第１位置にあるときには、図４に示すように、案内部２２内において、第１移動体２１の膨出部分２１Ｅが第２移動体２７の前端部に対して下側に位置している。また、図６（ａ）に示すように、アクチュエータ２８の左端部が、当接部２８Ｃとして、ロック体２９の突出部２９Ｃに対して後側から当接しているので、突出部２９Ｃの後向きの移動が規制され、ロック体２９の揺動が停止した状態が維持されている。このときのロック体２９の位置を係合位置という。ここで、ドア１１が閉じられると、ドア１１の突起１１Ｂが、矩形穴２０Ｄからベース２０（第２部２０Ｂ）内に嵌まり込む。このとき、係合位置にあるロック体２９のＵ字部分２９Ｂのうち、矩形穴２０Ｄに近い側の爪２９Ｄが突起１１Ｂの貫通穴１１Ｄに入り込み、突起１１Ｂ（ドア１１）に係合する。これにより、突起１１Ｂが固定され、ドア１１が閉じた状態（閉位置にある状態）が維持される。つまり、ドア１１が閉じた状態でロックされる。このように、ロック体２９が係合位置にあると、閉じられたドア１１にロック体２９が係合するので、ロック機構１６は、閉じられたドア１１をロックすることができる。また、ドア１１のボス１１Ｃ（図３参照）が、ケーシング２の前面（傾斜面２Ａ）に圧接される。
【００４０】
図５に示すように、ユーザが正面からボタン１０を押圧操作して第１位置から第２位置に移動させると、ドア開閉機構１２では、上述したように、可動レバー１５がボタン１０の押圧操作に伴って揺動し、折れ曲り部１５Ａが前側上方へ移動する。これに伴って、折れ曲り部１５Ａに上端部が係合している連結体２６がベース２０に対して相対的に上昇し、連結体２６の下端部が係合している第１移動体２１は、連結体２６によって上方ヘ引っ張られることにより、ばね２５の付勢力に抗してベース２０に対して相対的に上昇する。このとき、第１移動体２１は、案内部２２内に遊嵌されているので、第１移動体２１の上昇は、第１移動体２１が左右前後にずれないように、案内部２２によって案内される。
【００４１】
ここで、第１移動体２１の膨出部分２１Ｅが、第２移動体２７の前端部に乗り上げながら上昇するので、図６（ｂ）に示すように、第２移動体２７は、膨出部分２１Ｅによって前側から押されて、ばね３０の付勢力に抗して後方へ移動する。第２移動体２７が後方へ移動することによって、第２移動体２７の傾斜面２７Ａが、アクチュエータ２８の突起２８Ａの傾斜面２８Ｂを右後側へ押すので、アクチュエータ２８がばね３１の付勢力に抗して右側へ移動する。アクチュエータ２８が右側へ移動すると、アクチュエータ２８の当接部２８Ｃがロック体２９の突出部２９Ｃに対して右側へずれるので、突出部２９Ｃの後向きの移動に対する当接部２８Ｃによる規制が解除される。これにより、上述したばね（図示せず）の付勢力によってロック体２９が揺動する。つまり、突出部２９Ｃが後側へ移動し、Ｕ字部分２９Ｂが矩形穴２０Ｄ側へ移動する。これにより、ドア１１の突起１１Ｂの貫通穴１１Ｄに入り込んでいたロック体２９の爪２９Ｄ（図６（ａ）参照）が、貫通穴１１Ｄから外れ、ドア１１のロック（ロック体２９とドア１１との係合）が解除される。このとき、ロック体２９のＵ字部分２９Ｂのうち、爪２９Ｄとは別（矩形穴２０Ｄから遠い側）の爪２９Ｅが突起１１Ｂを前側へ押す。さらに、ドア１１を閉じたときに傾斜面２Ａに圧接されていたボス１１Ｃ（図６（ａ）参照）が、上述したように、ドア１１から外側（後側）へ突出する方向へ付勢されているので、ドア１１には、傾斜面２Ａから前側へ離れようとする力が作用される。そのため、突起１１Ｂが矩形穴２０Ｄから前側へ外れ、ドア１１が開位置側へ移動する（左開きされる）。このときのロック体２９の位置を解除位置という。このように、アクチュエータ２８が、第２移動体２７の後方移動に応じて、ロック体２９を係合位置（図６（ａ）参照）から解除位置（図６（ｂ）参照）へ移動させるので、ロック体２９とドア１１との係合が解除され、ロック機構１６は、閉じられたドア１１のロック解除を行うことができる。
【００４２】
一方、ボタン１０の押圧を解除すると、ボタン１０は、上述したばね（図示せず）の付勢力によって、図４に示すように、第１位置へ戻る。さらに、ばね２５の付勢力が作用することによって、可動レバー１５が揺動して、折れ曲り部１５Ａが後側下方へ移動し、連結体２６および第１移動体２１がベース２０に対して相対的に下降する。第１移動体２１の下降は、上昇するときと同様に、案内部２２によって案内される。ここで、第１移動体２１の膨出部分２１Ｅが第２移動体２７の前端部に対して下側へ移動するので、図６（ａ）に示すように、第２移動体２７がばね３０の付勢力によって前側へ移動する。第２移動体２７が前側へ移動すると、アクチュエータ２８の傾斜面２８Ｂを右後側へ押していた第２移動体２７の傾斜面２７Ａが、傾斜面２８Ｂから前側へ離れる。そのため、アクチュエータ２８は、ばね３１の付勢力によって左側へ移動し、アクチュエータ２８の当接部２８Ｃがロック体２９の突出部２９Ｃの後側に移動して、突出部２９Ｃを前側へ押し出す。これにより、ロック体２９が解除位置から係合位置へ移動する。
【００４３】
図７は、洗濯機１の要部正面図であって、ドア１１を右開きする場合を示す。図８は、図７において、前カバー５を取り外し、要部を拡大して示した図であってボタン１０が押されていない状態を示す。図９は、ドア１１を右開きする場合におけるロック機構１６の要部断面図であって、図９（ａ）は、図８のＣ−Ｃ矢視断面図であり、ボタン１０が第１位置にある状態を示し、図９（ｂ）は、図９（ａ）においてボタン１０が第２位置にある状態を示す。
【００４４】
この洗濯機１では、上述したように、また、図２の点線部分および図４で示すように、フレーム３の傾斜壁３Ａにおいて、フレーム開口３Ｂより右側の部分（右側傾斜壁３Ｄ）の前面に、ボタン１０およびドア開閉機構１２が設けられ、フレーム開口３Ｂより左側（左側傾斜壁３Ｅ）に、ヒンジ３Ｃが設けられている。そのため、ユーザがボタン１０を押すことによって、ドア１１を左開きすることができる。
【００４５】
さらに、この洗濯機１では、ユーザの好みに応じて、ドア１１を右開きすることもできる。
詳しくは、まず、前カバー５（図２参照）をフレーム３の傾斜壁３Ａから取り外し、図４に示すように、傾斜壁３Ａの前面を露出させる。次に、傾斜壁３Ａにドア開閉機構１２を取り付けた状態で、傾斜壁３Ａをフレーム３から取り外し、左右が逆になるように１８０°回転させ、図８に示すように、再びフレーム３に取り付ける。これにより、右側傾斜壁３Ｄと左側傾斜壁３Ｅとが入れ替わる。つまり、ドア１１を左開きする場合における右側傾斜壁３Ｄ（図４参照）は、ドア１１を右開きする場合には左側傾斜壁３Ｅとなり（図８参照）、ドア１１を左開きする場合における左側傾斜壁３Ｅは、ドア１１を右開きする場合には右側傾斜壁３Ｄとなる。なお、ドア１１が傾斜壁３Ａについている場合には、ドア１１も、左右が逆になるように１８０°回転される。
【００４６】
そして、ボタン１０を左側傾斜壁３Ｅに配置する。ここで、上述した支持部１３（図４参照）とは別の支持部１３が、左側傾斜壁３Ｅに設けられており、ドア１１を左開きするときと同様に、ボタン１０を第１位置と第２位置との間で揺動自在に支持する。なお、ボタン１０は、ドア１１を左開きする場合および右開きする場合に応じて個別に設けられてもよい。
【００４７】
ここで、可動レバー１５は、ドア１１を左開きするときと同様に、ボタン１０の下側後方において、図示しない軸を中心として、傾斜壁３Ａ（左側傾斜壁３Ｅ）によって揺動自在に支持されている。
ベース２０は、ドア１１を左開きするときに対して上下逆に、つまり右開き用装着部２３がベース２０の上端に位置して右開き用装着部２４が丸穴２０Ｃの下方に位置するように配置される。これにより、ベース２０において、第２部２０Ｂが、第１部２０Ａの右側（フレーム開口３Ｂに近い側）に配置される。
【００４８】
そして、第１移動体２１は、案内部２２内に改めて遊嵌される。このとき、第１移動体２１において、上端部は、案内部２２の上側面（ドア１１を左開きするときは下側面であった）の開口から露出され、下端部（屈曲部２１Ａ）は、案内部２２の下側面（ドア１１を左開きするときは上側面であった）の開口から露出される。右開き用装着部２４は、屈曲部２１Ａの下方に位置している。
【００４９】
ここで、ベース２０が上下逆に配置されることにより、案内部２２が、ドア１１を左開きするときよりも（図４参照）、可動レバー１５に近付くので、案内部２２内に遊嵌される第１移動体２１と可動レバー１５との間隔が狭くなる。これにより、可動レバー１５の折れ曲り部１５Ａの右穴１５Ｃ（図５参照）と第１移動体２１の第１上穴２１Ｂとの間隔が、ドア１１が左開きされる場合に比べて狭くなる。一方、折れ曲り部１５Ａの左穴１５Ｂ（図５参照）と第１移動体２１の第２上穴２１Ｃとの間隔は、ドア１１が左開きされるときの右穴１５Ｃと第１上穴２１Ｂとの間隔にほぼ等しくなる。これに対応して、連結体２６の上端部は、可動レバー１５の折れ曲り部１５Ａにおいて、右穴１５Ｃから左穴１５Ｂ（図５参照）に掛け直され、連結体２６の下端部は、第１移動体２１において、第１上穴２１Ｂから第２上穴２１Ｃに掛け直され、連結体２６が、可動レバー１５と第１移動体２１とを改めて連結する。
【００５０】
このように、第１移動体２１と可動レバー１５との間隔が狭くなっても、同一の連結体２６を使用することができる。そして、可動レバー１５の折れ曲り部１５Ａでは、左穴１５Ｂおよび右穴１５Ｃが設けられており（図５参照）、連結体２６が係合する位置が、ロック機構１６がフレーム開口３Ｂの右側に配置される場合（ドア１１が左開きされる場合）とロック機構１６がフレーム開口３Ｂの左側に配置される場合（ドア１１が右開きされる場合）とで異なる（図４および図８参照）。そのため、可動レバー１５において連結体２６が係合する位置（つまり、連結体２６の上端部が左穴１５Ｂおよび右穴１５Ｃのどちらに掛かっているのか）によって、ドア１１が左開きされるのか右開きされるのかを把握することができる。なお、ドア１１を左開きするときに連結体２６の上端部が左穴１５Ｂ（図５参照）に掛かったままである場合や、ドア１１を右開きするときに連結体２６の上端部が右穴１５Ｃ（図５参照）に掛かったままである場合、つまり、連結体２６の上端部が左穴１５Ｂおよび右穴１５Ｃのうちで適切な方に掛かっていない場合に、ドア１１を閉められなくしてもよい。これにより、連結体２６の上端部を掛ける穴が間違っていることをユーザに報知することができる。
【００５１】
また、上述したばね２５の上端部は、ドア１１を左開きするときと同様に第１移動体２１の屈曲部２１Ａの下穴２１Ｄに掛けられる。その一方、ばね２５の下端部は、左開き用装着部２３の左開き用穴２３Ａから右開き用装着部２４の右開き用穴２４Ａに掛け直されている。つまり、ばね２５は、第１移動体２１と右開き用装着部２４とを連結している。この場合、ドア１１を左開きするときと同様に（図４参照）、第１移動体２１が、ばね２５の付勢力（伸縮力）によって下方へ付勢される。
【００５２】
ベース２０が上下逆に取り付けられることによって、上述した第２移動体２７において、傾斜面２７Ａは、図９（ａ）に示すように、第２移動体２７の後端部の左側に位置し、後側へ向って右側へ傾斜している。なお、第２移動体２７は、ドア１１を左開きする場合および右開きする場合に応じて個別に設けられてもよい。
また、アクチュエータ２８において、上述した傾斜面２８Ｂは、突起２８Ａの右側に位置し、後側へ向って右側へ傾斜している。また、上述したばね３１は、ベース２０（第１部２０Ａ）内においてアクチュエータ２８の左側に位置し、アクチュエータ２８を右側へ付勢している。そして、突起２８Ａの傾斜面２８Ｂは、第２移動体２７の傾斜面２７Ａに左後側から対向している。
【００５３】
ロック体２９は、ドア１１が左開きされるときと同様に、ベース２０（第２部２０Ｂ）内において、矩形穴２０Ｄの後側に配置され、上述した係合位置（図９（ａ）参照）と解除位置（図９（ｂ）参照）との間において、軸３２を中心に揺動自在である。ロック体２９は、Ｕ字部分２９Ｂが矩形穴２０Ｄ側へ向うように、かつ、突出部２９Ｃが後側へ向うように、図示しないばねによって付勢されている。
【００５４】
そして、ドア１１に関し、上述したヒンジ３Ｃは、図２の１点鎖線部分で示すように、フレーム３の傾斜壁３Ａにおけるカバー開口９から露出された部分において、フレーム開口３Ｂより右側の部分に配置される。このときのヒンジ３Ｃの位置と、ドア１１を左開きさせる場合のヒンジ３Ｃの位置（図２の点線部分）とは、フレーム開口３Ｂの幅方向中心を基準として、ほぼ左右対称である。このように、ヒンジ３Ｃが、フレーム３の傾斜壁３Ａにおけるフレーム開口３Ｂより右側に配置されるので、閉位置にあるドア１１は、右開きされることによって開位置へ回動する。
【００５５】
最後に、フレーム３の傾斜壁３Ａに前カバー５を取り付けて、図７に示すように、前カバー５において、左長穴８Ａで、ボタン１０を露出させ、右長穴８Ｂを、塞ぎ板１９によって塞ぐ。
このようにドア１１を右開きするようにした場合において、ボタン１０を押したときのドア開閉機構１２での動作は、アクチュエータ２８の左右の動きが逆になることを除き（図６および図９参照）、ドア１１を左開きするときと同じである。
【００５６】
つまり、ボタン１０が第１位置にあるときには、図８に示すように、案内部２２内において、第１移動体２１の膨出部分２１Ｅが第２移動体２７の前端部に対して下側に位置している。また、図９（ａ）に示すように、アクチュエータ２８の右端部が、当接部２８Ｃとして、ロック体２９の突出部２９Ｃに対して後側から当接し、ロック体２９の揺動が停止した状態（ロック体２９が係合位置にある状態）が維持されている。ここでドア１１が閉じられると、ロック体２９のＵ字部分２９Ｂにおける爪２９Ｄが、矩形穴２０Ｄからベース２０（第２部２０Ｂ）内に嵌まり込んだ突起１１Ｂの貫通穴１１Ｄに入り込み、ドア１１が閉じた状態（閉位置にある状態）が維持される。
【００５７】
そして、ユーザが正面からボタン１０を押して第１位置から第２位置に移動させると、図５に示すようにドア１１を左開きさせるときと同様に、可動レバー１５が揺動して折れ曲り部１５Ａが前側上方へ移動し、これに伴って、連結体２６および第１移動体２１が上昇する。ここで、第１移動体２１の膨出部分２１Ｅが、第２移動体２７の前端部に乗り上げながら上昇するので、図９（ｂ）に示すように、第２移動体２７は、膨出部分２１Ｅによって前側から押されて、ばね３０の付勢力に抗して後方へ移動する。第２移動体２７が後方へ移動することによって、第２移動体２７の傾斜面２７Ａが、アクチュエータ２８の突起２８Ａの傾斜面２８Ｂを左後側へ押すので、アクチュエータ２８がばね３１の付勢力に抗して左側へ移動する。これにより、アクチュエータ２８の当接部２８Ｃがロック体２９の突出部２９Ｃに対して左側へずれるので、突出部２９Ｃの後向きの移動に対する突出部２９Ｃによる規制が解除され、ロック体２９が揺動する。これにより、ドア１１を左開きする場合と同様にロック体２９が解除位置へ移動し、ロック体２９の爪２９Ｄが貫通穴１１Ｄ（図９（ａ）参照）から外れ、爪２９Ｅが突起１１Ｂを前側へ押し、ドア１１が開位置側へ移動する（右開きされる）。
【００５８】
一方、ボタン１０の押圧を解除すると、図８に示すように、ドア１１を左開きするとき（図４参照）と同様に、ボタン１０が第１位置へ戻り、可動レバー１５が揺動して折れ曲り部１５Ａが後側下方へ移動し、連結体２６および第１移動体２１が下降する。これにより、第１移動体２１の膨出部分２１Ｅが第２移動体２７の前端部に対して下側へ移動するので、図９（ａ）に示すように、第２移動体２７がばね３０の付勢力によって前側へ移動する。第２移動体２７が前側へ移動すると、アクチュエータ２８の傾斜面２８Ｂを左後側へ押していた第２移動体２７の傾斜面２７Ａが、傾斜面２８Ｂから前側へ離れるので、アクチュエータ２８は、ばね３１の付勢力によって右側へ移動し、アクチュエータ２８の当接部２８Ｃがロック体２９の突出部２９Ｃの後側に移動して突出部２９Ｃを前側へ押し出す。これにより、ドア１１を左開きする場合と同様にロック体２９が解除位置から係合位置へ移動する。
【００５９】
このようにドア１１を右開きする場合において、ドア１１を左開きするように変更したい場合には、傾斜壁３Ａを、ドア開閉機構１２およびドア１１とともに、左右が逆になるように１８０°回転させて付け直し、ボタン１０およびドア開閉機構１２の配置を図４および図６に示すように変更すればよい。
以上より、このドア開閉機構１２は、左開きまたは右開きが可能なドア１１に用いられている。詳しくは、ドア１１が左開きされる場合にはドア開閉機構１２における可動レバー１５およびロック機構１６をフレーム開口３Ｂの右側にある右側傾斜壁３Ｄに配置すればよい（図４参照）。一方、ドア１１が右開きされる場合には、上述したように傾斜壁３Ａ（図２参照）を１８０°回転させることによって、可動レバー１５およびロック機構１６をフレーム開口３Ｂの左側にある左側傾斜壁３Ｅに配置すればよい（図８参照）。
【００６０】
ここで、図４に示すように、ロック機構１６において、ベース２０には、左開き用装着部２３および右開き用装着部２４がともに設けられている。ロック機構１６において第１移動体２１を下方へ付勢するばね２５は、ロック機構１６がフレーム開口３Ｂの右側に配置される場合（ドア１１が左開きされる場合）には第１移動体２１と左開き用装着部２３とを連結する。一方、ロック機構１６がフレーム開口３Ｂの左側に配置される場合（ドア１１が右開きされる場合）、ばね２５は第１移動体２１と右開き用装着部２４とを連結する（図８参照）。
【００６１】
その結果、ドア１１の左開きおよび右開きのいずれかを選択する場合において、ドア開閉機構１２では、ドア１１を左開きする場合も右開きする場合も構成部品を共通に使用することができる。特に、この洗濯機１のように、ボタン１０とロック機構１６との間隔が比較的大きい場合において、ドア開閉機構１２の構成部品を共通に使用できることは、便利である。
【００６２】
また、ドア１１が左開きされる場合も右開きされる場合も、ばね２５、連結体２６、第１移動体２１、ベース２０、案内部２２、アクチュエータ２８およびロック体２９のそれぞれを共通に使用することができる。
また、可動レバー１５を、フレーム開口３Ｂの右側に配置する場合（ドア１１が左開きされる場合）も、左側に配置する場合（ドア１１が右開きされる場合）も、共通に使用することができる。
【００６３】
そして、左開きドアまたは右開きドアを備えた洗濯機１を製造する際に、このように兼用部品が多いので、製造が容易である。
この発明は、以上の実施形態の内容に限定されるものではなく、請求項記載の範囲内において種々の変更が可能である。
【図面の簡単な説明】
【００６４】
【図１】洗濯機１の正面図であって、ドア１１を左開きする場合を示す。
【図２】図１に示す洗濯機１を正面右上から見た斜視図である。
【図３】カバー開口９およびフレーム開口３Ｂを閉じた状態にあるドア１１を後側から見た斜視図である。
【図４】図２において、前カバー５を取り外し、要部を拡大して示した図であって、ボタン１０が押されていない状態を示す。
【図５】図４において、ボタン１０が押された状態を示す。
【図６】ドア１１を左開きする場合におけるロック機構１６の要部断面図であって、図６（ａ）は、図４のＡ−Ａ矢視断面図であり、ボタン１０が第１位置にある状態を示し、図６（ｂ）は、図５のＢ−Ｂ矢視断面図であり、ボタン１０が第２位置にある状態を示す。
【図７】洗濯機１の要部正面図であって、ドア１１を右開きする場合を示す。
【図８】図７において、前カバー５を取り外し、要部を拡大して示した図であってボタン１０が押されていない状態を示す。
【図９】ドア１１を右開きする場合におけるロック機構１６の要部断面図であって、図９（ａ）は、図８のＣ−Ｃ矢視断面図であり、ボタン１０が第１位置にある状態を示し、図９（ｂ）は、図９（ａ）においてボタン１０が第２位置にある状態を示す。
【符号の説明】
【００６５】
１      洗濯機
２      ケーシング
３Ａ    傾斜壁
３Ｂ    フレーム開口
３Ｄ    右側傾斜壁
３Ｅ    左側傾斜壁
１０    ボタン
１１    ドア
１２    ドア開閉機構
１５    可動レバー
１６    ロック機構
２０    ベース
２１    第１移動体
２２    案内部
２３    左開き用装着部
２４    右開き用装着部
２５    ばね
２６    連結体
２７    第２移動体
２８    アクチュエータ
２９    ロック体
【図１】
0004975594.tif 000002
【図２】
0004975594.tif 000003
【図３】
0004975594.tif 000004
【図４】
0004975594.tif 000005
【図５】
0004975594.tif 000006
【図６】
0004975594.tif 000007
【図７】
0004975594.tif 000008
【図８】
0004975594.tif 000009
【図９】
0004975594.tif 000010